(57)【要約】【課題】施工も容易であり、棟部全体の重さも軽量化することのできることで耐震性も大きく向上させることのできる新たな瓦屋根棟部の構造を開示する。【解決手段】屋根の稜線部に沿って稜線部に固定されたモルタル基礎４０を作る。モルタル基礎４０を土台として、その上に発泡樹脂製の瓦調装飾部材１０を取り付け、固定具５３でモルタル基礎４０と瓦調装飾部材１０とを一体化する。【選択図】図４
2013108328.tif 000002
【特許請求の範囲】
【請求項１】
瓦屋根棟部の構造であって、屋根の稜線部に沿って該稜線部に固定されたモルタル基礎と、前記モルタル基礎を覆うようにして該モルタル基礎に一体に固定された発泡樹脂製の瓦調装飾部材とを少なくとも備えることを特徴とする瓦屋根棟部の構造。
【請求項２】
前記モルタル基礎は稜線方向に２個以上の金属製の支持脚を埋設しており、該支持脚の基部は一部がモルタル基礎から露出しており、該露出した基部を介して前記モルタル基礎は稜線部に固定されており、さらに、前記各支持脚の頂部に差し渡すようにして木製または樹脂製の横架材が配置されており、前記瓦調装飾部材は該瓦調装飾部材を通して打ち込んだ固定具の下端部が前記横架材に固定されることで前記モルタル基礎に一体に固定されていることを特徴とする請求項１に記載の瓦屋根棟部の構造。
【請求項３】
前記モルタル基礎の上面と瓦調装飾部材との間には緩衝シートが配置されていることを特徴とする請求項１に記載の瓦屋根棟部の構造。
【請求項４】
瓦屋根棟部の施工方法であって、
屋根の稜線部に沿って間隔をおいて２個以上の金属製の支持脚を固定する工程と、
固定した支持脚の頂部に木製または樹脂製の横架材を差し渡す工程と、
前記支持脚と横架材の周囲を囲うようにしてモルタル基礎のための型枠を形成する工程と、
形成した型枠内にモルタルを流し込んでモルタル基礎を造る工程と、
脱型後のモルタル基礎の上に発泡樹脂製の瓦調装飾部材を配置する工程と、
配置した瓦調装飾部材と前記横架材とを固定具を用いて一体に固定する工程と、
を少なくとも備えることを特徴とする瓦屋根棟部の施工方法。
【請求項５】
脱型後のモルタル基礎の上に発泡樹脂製の瓦調装飾部材を配置する工程の前の工程として、モルタル基礎の上に緩衝シートを配置する工程をさらに備えることを特徴とする請求項４に記載の瓦屋根棟部の施工方法。
【発明の詳細な説明】
【技術分野】
【０００１】
本発明は、瓦屋根における棟部の構造とその施工方法に関する。
【背景技術】
【０００２】
瓦屋根の棟部の一般的な構造は、山状に傾斜する屋根本体の稜線部に積み上げた面土あるいは葺き土と呼ばれる漆喰と、この漆喰の両側面に多段に配置されたのし瓦と、最上位ののし瓦の上に固定された冠瓦とからなる。こののし瓦と冠瓦とを合わせて棟瓦と呼ばれている。
【０００３】
上記構造である瓦屋根の棟部は、重くまた棟部は高さが高いほど喜ばれることもあってその重心位置は比較的に高い位置にあることから、耐震性に不足することが多く、地震発生時に瓦屋根の前記棟部のみが崩壊することが往々にして起こっている。そのために、耐震性を高めた棟部の構造あるいは耐震性を高めるための棟部の補強工法がいくつか提案されている。
【０００４】
例えば、特許文献１には、最上位ののし瓦の上に金属プレートを配置し、その上に、断面が角Ｕ字状である取付金具を複数個配置し、これを棟木まで達するねじ込み釘などで固定した後、角柱木材をこの角Ｕ字状の取付金具に嵌め込んで、側面からねじ釘で固定する。その後で、取り外してあった冠瓦を再び最上部に載置し、前記角柱木材にねじ込み釘などにより固定するようにした、耐震棟改修工法が記載されている。
【０００５】
また、特許文献２には、屋根の稜線部に棟瓦（のし瓦および冠瓦）が積み上げられ、平瓦とのし瓦との間には漆喰壁が形成されており、平瓦、漆喰壁およびのし瓦の各壁面に弾性接着剤を一体的に付着させて固定した架橋材が形成されている構成の棟部の耐震補強構造が記載されている。
【先行技術文献】
【特許文献】
【０００６】
【特許文献１】特開２００２−３５６９５６号公報
【特許文献２】特開２００７−３９９５３号公報
【発明の概要】
【発明が解決しようとする課題】
【０００７】
従来提案されている瓦屋根棟部の耐震構造は、いずれも、従来の瓦屋根の棟部構造、すなわち、屋根本体の稜線部に積み上げた面土あるいは葺き土と呼ばれる本質的に土である漆喰と、この漆喰の両側面に多段に配置されたのし瓦と、最上位ののし瓦の上に固定された冠瓦とをそのまま備える構造であり、重さが重い構造であること、重心位置が比較的高い位置にある構造であることは、そのまま維持されている。そのために、耐震性は向上するとしても、十分とはいえない。また、改修作業には瓦職人が必要であり、多数個の瓦屋根に同時に改修工事を行うことが求められるような事態が生じたときに、職人不足となる恐れがある。さらに、完全に崩壊した後の棟部に対して、改修工事を行おうとすると、新規に棟部を作るとき以上の作業が必要となる。
【０００８】
本発明は、上記の事情に鑑みてなされたものであり、瓦屋根の棟部を新規に作るときでも、一度崩壊した棟部を再構築する場合でも、瓦職人によらず左官職人による施工が可能であり、施工も容易であり、棟部全体の重さも軽量化することのできることで耐震性も大きく向上させることのできる、新たな瓦屋根棟部の構造とその施工方法を開示することを課題とする。
【課題を解決するための手段】
【０００９】
本発明による瓦屋根棟部の構造は、屋根の稜線部に沿って該稜線部に固定されたモルタル基礎と、前記モルタル基礎を覆うようにして該モルタル基礎に一体に固定された発泡樹脂製の瓦調装飾部材とを少なくとも備えることを特徴とする。
【００１０】
上記の棟部の構造は、基本的部材として、屋根の稜線部に固定されたモルタル基礎とそこに一体に固定された発泡樹脂製の瓦調装飾部材を備えるのみであり、従来の棟部における本質的に土である漆喰と該漆喰を利用して固定されるのし瓦や冠瓦を備えない。モルタル基礎は土で作られる漆喰よりも軽量であり、発泡樹脂製の瓦調装飾部材はのし瓦と冠瓦とで構成される棟瓦よりも軽量である。そのために、本発明による瓦屋根棟部の構造は、従来の棟部の重さと比較して、その重量は大きく軽量化する。また、モルタル基礎の上に軽量化した発泡樹脂製の瓦調装飾部材が固定された構造であり、その重心位置も低い位置となる。そのために、本発明による瓦屋根棟部の構造は、高い耐震性を備えるようになり、地震時に崩壊するのを高い確率で回避できる。
【００１１】
本発明による瓦屋根棟部の構造の一態様では、前記モルタル基礎は稜線方向に２個以上の金属製の支持脚を埋設しており、該支持脚の基部は一部がモルタル基礎から露出しており、該露出した基部を介して前記モルタル基礎は稜線部に固定されており、さらに、前記各支持脚の頂部に差し渡すようにして木製または樹脂製の横架材が配置されており、前記瓦調装飾部材は該瓦調装飾部材を通して打ち込んだ固定具の下端部が前記横架材に固定されることで前記モルタル基礎に一体に固定されていることを特徴とする。
【００１２】
この態様では、モルタル基礎は、そこに埋め込まれた金属製の支持脚によって、屋根の稜線部に固定されており、モルタル基礎の屋根に対する固定状態は安定する。また、瓦調装飾部材は、前記金属製の支持脚の上端に差し渡した木製または樹脂製の横架材に対して、釘やビス等の適宜の固定具を用いて固定されており、安定した固定状態が得られる。
【００１３】
本発明による瓦屋根棟部の構造の一態様では、前記モルタル基礎の上面と瓦調装飾部材との間には緩衝シートが配置される。緩衝シートを介してモルタル基礎の上に瓦調装飾部材を固定することにより、モルタル打設面に生じやすい不陸を緩衝シートによって吸収することができ、瓦調装飾部材の安定した固定姿勢が得られる。
【００１４】
本発明による瓦屋根棟部の施工方法は、屋根の稜線部に沿って間隔をおいて２個以上の金属製の支持脚を固定する工程と、固定した支持脚の頂部に木製または樹脂製の横架材を差し渡す工程と、前記支持脚と横架材の周囲を囲うようにしてモルタル基礎のための型枠を形成する工程と、形成した型枠内にモルタルを流し込んでモルタル基礎を造る工程と、脱型後のモルタル基礎の上に発泡樹脂製の瓦調装飾部材を配置する工程と、配置した瓦調装飾部材と前記横架材とを固定具を用いて一体に固定する工程と、を少なくとも備えることを特徴とする。
【００１５】
本発明による瓦屋根棟部の施工方法の一態様では、脱型後のモルタル基礎の上に発泡樹脂製の瓦調装飾部材を配置する工程の前の工程として、モルタル基礎の上に緩衝シートを配置する工程をさらに備える。
【００１６】
上記の本発明による瓦屋根棟部の施工方法では、瓦屋根棟部の構築に際して、のし瓦と冠瓦を用いない。また、漆喰を所要形状に形成する作業も要しない。単に、モルタル型枠の施工と、別途作られた発泡樹脂製の瓦調装飾部材を脱型後のモルタル基礎の上に固定する作業を行えばよい。そのために、製造作業が容易となり、作業を要する日数も短縮できる。また、瓦職人でなく左官職人のみでも施工を終えることができる利点がある。
【００１７】
本発明による瓦屋根棟部の構造およびその施工方法は、新規に作る瓦屋根の棟部に適用することもでき、震災等で崩壊した棟部を改修するときに、従来の棟部構造に代えて適用することもできる。前記したように、短日数で施工を終えることができることと、左官職人のみでも施工を終えることから、震災後の復旧作業の一つとして、本発明による瓦屋根棟部の構造およびその施工方法を採用することは、特に効果的となる。
【００１８】
本発明において、モルタル基礎に使用するモルタルには、従来用いられているモルタルを適宜用いることができるが、軽量化と耐水性および強度の観点から、従来知られた軽量モルタルにシリコンポリマーやシラン系エマルジョンのような撥水剤、重合油アルミニウムのような防水剤、耐アルカリガラス繊維、アクリル繊維、ポリプロピレン繊維のような強化繊維が混入されたモルタルを用いることは、好ましい。例えば、シラン系エマルジョンの一例として株式会社マノール製の水性ニューコンコート（商品名）が挙げられる。また、混和する重合油アルミニウムとしては株式会社マノール製のマノール防水剤（商品名）が挙げられる。強化繊維の一例として白井麻つた工場社製のハードウール（商品名）が挙げられる。
【００１９】
また、耐水性等の観点から、また視覚的観点から、モルタル基礎の外周面を墨入り防水剤（例えば、カーボンブラックなどの黒色顔料と無機質浸透性防水剤の混和物）のような材料で黒色にコーティングすることは好ましい。既調合モルタルとして株式会社豊運製の棟モルタルがある。
【００２０】
本発明において、発泡樹脂製の瓦調装飾部材の外観形状は任意であり、従来の棟瓦が呈していた外観形状に類似した外観形状であることは好ましい。鬼瓦を備えた形状のものも用いることができる。発泡樹脂製の瓦調装飾部材の外表面には、耐候性を付与するため、また屋根に同時に使用されている平瓦との色調を合わせるなどによって外観を良好にするために、ウレタン樹脂のような耐候性樹脂の塗膜を形成し、さらにその上に意匠皮膜が仕上げ塗装として施される。耐候性樹脂としては、他にポリウレアのような材料を挙げることができる。意匠皮膜としての仕上げ塗装には、好ましくは、アクリルウレタンのような塗料が用いられる。発泡樹脂製の瓦調装飾部材の素材である発泡樹脂としては、発泡ポリスチレン、ポリスチレン−ポリオレフィン複合樹脂発泡体などを例として挙げることができる。
【発明の効果】
【００２１】
本発明によれば、従来ののし瓦や冠瓦を用いて施工した瓦屋根棟部と同等の外観を呈しながら、施工が容易でありかつ軽量化した瓦屋根棟部の構造が得られる。軽量であることから、本発明による瓦屋根棟部は高い耐震性を備える。
【図面の簡単な説明】
【００２２】
【図１】本発明による瓦屋根棟部の構造の一例を示す斜視図。
【図２】発泡樹脂製の瓦調装飾部材の一例を示す斜視図。
【図３】図１に示す瓦屋根棟部構造の施工途中における屋根の稜線に直交する方向での断面図。
【図４】図１に示す瓦屋根棟部構造の屋根の稜線に直交する方向での断面図。
【図５】本発明による瓦屋根棟部の施工方法での施工手順を説明する第１の図。
【図６】施工手順を説明する第２の図。
【図７】施工手順を説明する第３の図。
【図８】施工手順を説明する第４の図。
【図９】施工手順を説明する第５の図。
【図１０】施工手順を説明する第６の図。
【発明を実施するための形態】
【００２３】
以下、本発明の一つの実施の形態を説明する。
図１は、本発明による瓦屋根棟部構造Ａを備えた瓦屋根１を示す。図３および図４の断面図に示すように、通常の山状に傾斜する屋根本体の稜線部に本発明による瓦屋根棟部構造Ａが施工されている。なお、図３および図４において、２は棟木であり、その上に垂木３が配置され、垂木３の上に野路板４が取り付けられている。野路板４には瓦桟５が配置され、それを利用して平瓦６が取り付けてある。このような一般的な瓦屋根１の稜線部に前記のように本発明による瓦屋根棟部構造Ａが施工される。図１において、１０は本発明による発泡樹脂製の瓦調装飾部材（以下、単に瓦調装飾部材という）であり、瓦調装飾部材１０と平瓦６との間には施工したモルタル基礎４０の一部が現れている。また、図１に示す例において、瓦調装飾部材１０の両端には巴瓦７が取り付けてあるが、このような役瓦を取り付けることで、瓦屋根棟部の意匠性はさらに高くなる。
【００２４】
最初に、瓦調装飾部材１０を説明する。瓦調装飾部材１０は、図２に示すように、これまでの棟部の形状、すなわちのし瓦と冠瓦とで形成される冠瓦（ぐし瓦）の形状に類似した形状に、発泡樹脂から形成される。瓦調装飾部材１０は、施工現場での稜線部の長さに応じて、全体が１つの成形体で形成されていてもよく、図２に示すように、複数個の瓦調装飾部材１０ａを稜線方向に連続的に位置させることで、全体としての１つの瓦調装飾部材１０が形成されるようにしてもよい。その場合、両端側に位置するとして瓦調装飾部材１０ａには鬼瓦１１を一体成形してもよい。
【００２５】
瓦調装飾部材１０（１０ａ）は、芯材としての発泡樹脂成形体１２と、その表面に塗工した耐候性皮膜および該耐候性皮膜の表面に塗工した意匠皮膜とからなる皮膜１３とを備える。芯材としての発泡樹脂成形体１２は、一例として発泡ポリスチレンのような発泡性樹脂からの型内発泡成形により、または、発泡樹脂のブロック体から熱線等を用いて所要形状に造形して作られる。瓦調装飾部材１０の底部には、後に説明するモルタル基礎４０のための係合溝１４が形成されており、両側面にはのし瓦の形状を擬した形状１５が賦形され、上面は冠瓦に擬した形状１６とされている。いずれにも、所要の疑似突き合わせ溝１７が形成されている。この例において、鬼瓦１１は前記した巴瓦７の上に乗るように設計されており、したがって、鬼瓦１１の底面には巴瓦７の形状に一致した係合溝１８が形成されている。なお、図示した瓦調装飾部材１０（１０ａ）の外観形状は一つの例にすぎず、顧客の要望に応じて任意の形状とすることができる。このような外観形状の変更と選択は、芯材が発泡樹脂製であることから、本瓦の場合と比較して、その対応は極めて容易となる。
【００２６】
また、この例においては、瓦調装飾部材１０の長手方向の中心線に沿うようにして、木製または樹脂製の棒部材１９が補強材として全長にわたって埋め込まれており、該棒部材１９には金属板１９ａが配置されている。
【００２７】
また、この例において、前記皮膜１３を構成する耐候性皮膜にはウレタン樹脂が用いられており、防水機能も奏している。意匠皮膜には適宜の色調をもったアクリルウレタン樹脂が用いられている。
【００２８】
次に、他の構成部材を施工手順とともに説明する。新規に施工する場合には、瓦屋根の棟部以外については、従来の瓦屋根の場合と同じように施工する。震災等で瓦屋根の棟部が崩壊し、その復旧作業として行う場合には、屋根稜線部およびその近傍から崩壊した瓦類や漆喰類を取り除く作業を行う。
【００２９】
最初に、屋根稜線部に沿いその両側の所定幅アスファルトフェルトのような防水シート２０を敷設する。その上に、図５に示すように、金属製の支持脚３０（図７参照）を稜線方向に所定間隔をおいて必要個数配置する。支持脚３０は、鋼板やステンレス板を板金加工して作られたものであり、図７に示すように、屋根の傾斜と同じ角度に傾斜する左右の平板状脚部３１，３１と、平板状脚部３１，３１の頂部から立ち上がる立ち上がり部３２と、立ち上がり部３２の上端から左右に拡開する上方を開放した収容部３３とからなる。図示の例では、板金加工した左右の金属板を固定部材３４で一体にすることで支持脚３０としているが、全体を１つの部材として構成することもできる。適数の支持脚３０を、平板状脚部３１，３１に形成した穴３５を利用して、釘などの適宜の留め具３６（図３参照）を野路板４まで打ち込み、固定する。
【００３０】
適数の支持脚３０を稜線部に固定した後、支持脚３０の固定状態をより安定化させるために、図６に示すように、全部の平板状脚部３１にわたるようにして、平板状脚部３１の上から稜線に平行に木材等からなる押さえ板２１を配置し、釘などの適宜の留め具３６（図３参照）を野路板４まで打ち込んで、押さえ板２１をしっかりと固定する。次に、図７に示すように、そのようにして固定された支持脚３０の前記収容部３３内に、すべての支持脚３０の収容部３３に差し渡すようにして、木材あるいは樹脂材からなる横架材２３を挿入し、適宜の留め具３６で固定する。
【００３１】
この例において、前記収容部３３は断面矩形状であり、したがって横架材２３の断面も該収容部３３にぴったりと挿入される大きさの矩形状とされている。しかし、これは一つの例であって、両者の断面形状はこれに限らない。収容部３３は上方が開放していればよく、断面は半円、半楕円、Ｖ字状などであってよい。横架材２３の断面形状は収容部３３内に安定的に入り込める形状であれば任意であり、上方面も図示のもののように平坦面であってもよく、弧状や山形状などであってもよい。
【００３２】
次に、瓦屋根の意匠性の観点等から必要な場合には、予備の平瓦あるいは予め取り外しておいた平瓦６ａ（図６参照）を、最上位に配置された平瓦６と押さえ板２１との間に取り付ける（図３参照）。その後で、図８に示すように、固定した前記支持脚３０のすべてと横架材２３の周囲を囲うようにして、モルタル基礎４０のための型枠５０を形成する。型枠５０の形成は通常の左官工事で用いられる型枠と同じように、木材等を用いて行えばよい。
【００３３】
次に、図９に示すように、型枠５０内にモルタル５１を流し込む。前記したように、使用するモルタルは軽量モルタルであることが好ましく、撥水剤、防水剤、強化繊維材などを混入したモルタルを用いることは、より好ましい。流し込むモルタルの上面は、もし前記横架材２３の上面が水平な平坦な面である場合には、横架材２３の上面と同じ高さまでとするのが好ましい。横架材２３の上面が上に凸の弧をなす形状のような場合には、上面の一部が露出した高さまでとするのが好ましい。
【００３４】
打設したモルタルが硬化した後に、型枠を取り外すことにより、屋根の稜線部に沿って該稜線部に固定されたモルタル基礎４０が形成される。その状態が図１０に示される。図示の例では、モルタル基礎４０の下端側４１は、前記した最上位に配置された平瓦６と押さえ板２１との間に取り付けた平瓦６ａの上面にまで達しており、さらにその裏面にまでモルタル５１は回っている。好ましくは、モルタル基礎４０には、耐水性および視覚的観点から、例えば、カーボンブラックなどの黒色顔料と無機質浸透性防水剤の混和物のような材料による黒色のコーティング層を形成する。
【００３５】
なお、図２、３に基づき説明した瓦調装飾部材１０において、その底部にはモルタル基礎４０のための係合溝１４が形成されるが、該係合溝１４の断面形状は、前記したモルタル基礎４０の断面形状と同じとされ、係合溝１４の深さは、モルタル基礎４０の上にその係合溝１４を係合させた状態で瓦調装飾部材１０を配置したときに、瓦調装飾部材１０の芯材である発泡樹脂成形体１２の底面が、前記した平瓦６ａの上面の最も高い箇所にほぼ接するようになる深さとされる。また、前記鬼瓦１１の底面に形成される係合溝１８の深さは、前記の状態のときに係合溝１８が前記巴瓦７の上にぴったりと入り込める深さに設定される。
【００３６】
最後に、形成されたモルタル基礎４０の上に前記瓦調装飾部材１０を取り付ける。好ましくは、モルタル基礎４０の上面全面に緩衝ゴムあるいは低発泡樹脂のような材料からなる緩衝シート４５を敷設した後に、前記瓦調装飾部材１０を取り付ける。それにより、瓦調装飾部材１０の固定姿勢をより安定させることができる。図４に示すように、瓦調装飾部材１０の底面に形成した係合溝１４内に、緩衝シート４５を挟んでモルタル基礎４０の上方部が嵌入した姿勢とした後、瓦調装飾部材１０の頂面から、ビスのような固定具５３の適数を、瓦調装飾部材１０内に埋め込んだ棒部材１９と金属板１９ａを通過して、その下端部が前記支持脚３０の収容部３３に差し渡した横架材２３に達するように打ち込む。そして、固定具５３を打ち込んだ後に、頂部に残る打ち込み穴５４を適宜のシーリング材５５で埋め、その部分を表面塗装することで、図１に示したような、本発明による瓦屋根棟部の構造Ａが完成する。
【００３７】
なお、本発明の瓦屋根棟部の構造は、図示したような切妻屋根に限らす、寄棟構造の瓦屋根棟部にも、同様にして適用できることは当然である。
【符号の説明】
【００３８】
Ａ…本発明による瓦屋根棟部構造、
１…瓦屋根、
２…棟木、
３…垂木、
４…野路板、
５…瓦桟、
６、６ａ…平瓦、
７…巴瓦、
１０、１０ａ…発泡樹脂製の瓦調装飾部材、
１１…鬼瓦、
１１を一体成形してもよい。
１２…芯材としての発泡樹脂成形体、
１３…耐候性皮膜および意匠皮膜とからなる皮膜、
１４…モルタル基礎のための係合溝、
１５…のし瓦の形状を擬した形状、
１６…冠瓦に擬した形状、
１７…疑似突き合わせ溝、
１９…木製または樹脂製の棒部材、
１９ａ…金属板、
２０…防水シート、
２１…押さえ板、
２３…木材あるいは樹脂材からなる横架材、
３０…金属製の支持脚、
３１…平板状脚部、
３２…立ち上がり部、
３３…収容部、
３６…留め具、
４０…モルタル基礎、
４１…モルタル基礎の下端側、
４５…緩衝シート、
５０…モルタル基礎のための型枠、
５１…モルタル、
５３…ビスのような固定具、
５４…頂部に残る打ち込み穴、
５５…シーリング材。
【図１】
2013108328.tif 000003
【図２】
2013108328.tif 000004
【図３】
2013108328.tif 000005
【図４】
2013108328.tif 000006
【図５】
2013108328.tif 000007
【図６】
2013108328.tif 000008
【図７】
2013108328.tif 000009
【図８】
2013108328.tif 000010
【図９】
2013108328.tif 000011
【図１０】
2013108328.tif 000012